(57)【要約】【課題】ユーザが自由に編集した動画・写真・画像などにより広告誘導を行うことができる広告誘導システムを提供する。【解決手段】広告誘導システムにおいて、作品データとは異なるデータとして生成される作品情報データ１１０を格納する作品情報データベース１２０と、ユーザ端末４０からの作品データの再生に関するリクエスト要求に基づいて、作品データに関連する作品情報データ１１０をユーザ端末４０に送信するアプリケーションサーバとを備え、ユーザ端末４０では、アプリケーションサーバから送信された作品情報データ１１０に基づいて作品データを再生し、作品データの再生画面上に作品情報データ１１０に基づいた広告誘導に関する情報を表示する。【選択図】図２
2009245082.tif 000002
【特許請求の範囲】
【請求項１】
ユーザ端末上で再生される作品データに関連する広告誘導の情報を含む作品情報データを前記ユーザ端末に送信する広告誘導システムであって、
前記作品データとは異なるデータとして生成される前記作品情報データを格納する作品情報データベースと、
前記ユーザ端末からの前記作品データの再生に関するリクエスト要求に基づいて、前記作品データに関連する前記作品情報データを前記ユーザ端末に送信する処理部とを備え、
前記ユーザ端末では、前記処理部から送信された前記作品情報データに基づいて前記作品データを再生し、前記作品データの再生画面上に前記作品情報データに基づいた広告誘導に関する情報を表示することを特徴とする広告誘導システム。
【請求項２】
請求項１記載の広告誘導システムにおいて、
前記処理部は、前記ユーザ端末からの前記作品データの再生に関するリクエスト要求に基づいて、前記作品データおよび前記作品データに関連する前記作品情報データを前記ユーザ端末に送信することを特徴とする広告誘導システム。
【請求項３】
請求項１記載の広告誘導システムにおいて、
前記広告誘導に関する情報は、前記作品データの再生画面上に表示される広告誘導の誘導先を示すスタンプ素材の情報であることを特徴とする広告誘導システム。
【請求項４】
請求項１記載の広告誘導システムにおいて、
前記広告誘導に関する情報は、前記作品データの再生画面上に表示されている前記作品データ内のアイテムに関する広告誘導の誘導先を示す透明素材の情報であることを特徴とする広告誘導システム。
【請求項５】
請求項１記載の広告誘導システムにおいて、
前記作品データは、動画データ、写真データ、または画像データであることを特徴とする広告誘導システム。
【請求項６】
ユーザ端末上で再生される作品データに関連する広告誘導の情報を含む作品情報データを前記ユーザ端末に送信する広告誘導方法であって、
作品情報データベースに前記作品データとは異なるデータとして生成される前記作品情報データを格納し、
処理部により、前記ユーザ端末からの前記作品データの再生に関するリクエスト要求に基づいて、前記作品データに関連する前記作品情報データを前記作品情報データベースから取得し、前記作品情報データを前記ユーザ端末に送信し、
前記ユーザ端末により、前記処理部から送信された前記作品情報データに基づいて前記作品データを再生し、前記作品データの再生画面上に前記作品情報データに基づいた広告誘導に関する情報を表示することを特徴とする広告誘導方法。
【発明の詳細な説明】
【技術分野】
【０００１】
本発明は、広告誘導システムおよび広告誘導方法に関し、特に、動画・写真・画像の一部を用いて広告誘導を行う技術に関する。
【背景技術】
【０００２】
従来、ユーザが、ＷＥＢサイトやメールマガジンなどで広告誘導を行う場合、ユーザ側のＷＥＢサイトやメールマガジンなどに広告誘導のリンク先を示すアイコン表示や、文字のリンク表示を行い、その表示が選択されることにより、広告誘導を行っていた。
【発明の開示】
【発明が解決しようとする課題】
【０００３】
しかしながら、従来の広告誘導では、アイコン表示や、文字のリンク表示により広告誘導を行っており、ユーザが自由に動画・写真・画像を編集し、その動画・写真・画像内の一部を用いて広告誘導を行うことはできなかった。
【０００４】
そこで、本発明の目的は、ユーザが自由に編集した動画・写真・画像などにより広告誘導を行うことができる広告誘導システムおよび広告誘導方法を提供することにある。
【０００５】
本発明の前記ならびにその他の目的と新規な特徴は、本明細書の記述および添付図面から明らかになるであろう。
【課題を解決するための手段】
【０００６】
本願において開示される発明のうち、代表的なものの概要を簡単に説明すれば、次のとおりである。
【０００７】
すなわち、代表的なものの概要は、作品データとは異なるデータとして生成される作品情報データを格納する作品情報データベースと、ユーザ端末からの作品データの再生に関するリクエスト要求に基づいて、作品データに関連する作品情報データをユーザ端末に送信する処理部とを備え、ユーザ端末では、処理部から送信された作品情報データに基づいて作品データを再生し、作品データの再生画面上に作品情報データに基づいた広告誘導に関する情報を表示するものである。
【発明の効果】
【０００８】
本願において開示される発明のうち、代表的なものによって得られる効果を簡単に説明すれば以下のとおりである。
【０００９】
すなわち、代表的なものによって得られる効果は、ユーザが自由に編集した動画・写真・画像などにより広告誘導を行うことができる。
【発明を実施するための最良の形態】
【００１０】
以下、本発明の実施の形態を図面に基づいて詳細に説明する。なお、実施の形態を説明するための全図において、同一の部材には原則として同一の符号を付し、その繰り返しの説明は省略する。
【００１１】
図１により、本発明の一実施の形態に係る広告誘導システムの構成について説明する。図１は本発明の一実施の形態に係る広告誘導システムの構成を示す構成図である。
【００１２】
図１において、広告誘導システムは、インターネットなどに接続され、外部からのＷＥＢアクセスなどを処理するＷＥＢサーバ１０、アプリケーションソフトウェアの実行を管理し、動画・写真・画像の編集処理や動画・写真・画像の再生指示の処理などを行う処理部であるアプリケーションサーバ２０、各種データを格納するデータベースサーバ３０から構成されている。
【００１３】
図１の例ではＷＥＢサーバ１０、アプリケーションサーバ２０、データベースサーバ３０は分けて記載しているが、１つのサーバで処理可能であれば、１つのサーバで処理するようにしてもよい。
【００１４】
また、広告誘導システムには、インターネットなどを介して、作品データである動画・写真・画像の編集などを行うユーザのユーザ端末４０が接続され、ユーザは、動画・写真・画像の編集時に使用する外部素材を提供する外部素材サーバ５０に接続できるようになっている。
【００１５】
この外部素材サーバ５０は、広告誘導システム内のサーバとして設置されてもよい。
【００１６】
また、広告誘導システムには、外部サーバとしてアフィリエイト処理を行う外部アフィリエイトサーバ６０が接続され、ユーザが編集した動画・写真・画像による広告誘導に関するアフィリエイト処理を行う。
【００１７】
この外部アフィリエイトサーバ６０も、広告誘導システム内に設置されてもよい。
【００１８】
次に、図２により、本発明の一実施の形態に係る広告誘導システムの編集時のデータの流れについて説明する。図２は本発明の一実施の形態に係る広告誘導システムの編集時のデータの流れを示す構成図である。
【００１９】
まず、ユーザがユーザ端末４０により編集する際には、図２に示すように、ユーザ端末４０側で動画・写真、スタンプフレーム、効果音ＢＧＭ等を用意する。
【００２０】
また、その各素材は、ユーザ端末４０からの要求に応じて、外部素材サーバ５０やデータベースサーバ３０などの素材データベース１００から送信することで、ユーザ端末４０上に用意する。
【００２１】
そして、編集途中では、広告誘導に関する情報が格納される作品情報データ１１０をユーザ端末４０のメモリ上に一時保存し、その作品情報データ１１０を使用して編集作業を行う。
【００２２】
作品情報データ１１０は、どの動画にどのスタンプ、どのフレームや効果音などを使うかの情報、どのスタンプや透明素材が広告誘導に使用するリンク付きなのか、またそのリンク先の情報と、それ以外の編集効果の情報、それらに使用された編集素材が動画のどこの時間でどの位置にあるかの編集情報などの情報が格納されている。
【００２３】
そして、編集が終了すると、ユーザ端末４０内に一時的に保存されていた作品情報データ１１０は、データベースサーバ３０の作品情報データベース１２０に送信され格納される。
【００２４】
本実施の形態では、このように編集する動画・写真・画像などと、動画・写真・画像を編集した際に作成される作品情報データ１１０が別々に管理され、後述する動画・写真・画像の再生時などにおいて、動画・写真・画像に直接アクセスするのではなく、作品情報データ１１０にアクセスすることにより、動画・写真・画像などの格納場所などが特定され、その動画・写真・画像の再生、表示時の広告誘導処理が行われるようになっている。
【００２５】
次に、図３により、本発明の一実施の形態に係る広告誘導システムの再生時のデータの流れについて説明する。図３は本発明の一実施の形態に係る広告誘導システムの再生時のデータの流れを示す構成図である。
【００２６】
まず、ユーザがユーザ端末４０により再生する際には、図３に示すように、ユーザ端末４０から、ＷＥＢサーバ１０にアクセスし、作品を再生するリクエストを送信する。
【００２７】
ＷＥＢサーバ１０では、ユーザ端末４０からのリクエストを受信し、アプリケーションサーバ２０の処理により、リクエストされた作品に関する作品情報データ１１０に基づいて、素材データベース１００にアクセスして、素材データとなる動画・写真・画像や、スタンプフレーム、効果音ＢＧＭを取得し、ＷＥＢサーバ１０から、作品情報データ１１０と必要な素材データを送信する。
【００２８】
なお、ＷＥＢサーバ１０から、作品情報データ１１０のみを送信し、作品情報データ１１０側で作品情報データ１１０に基づいて必要な素材データを取得するようにすることも可能である。
【００２９】
ユーザ端末４０では、ＷＥＢサーバ１０から受信した作品情報データ１１０および素材データにより、作品情報データ１１０を処理することができる再生ツールなどにより、ユーザがリクエストした作品を再生する。
【００３０】
この再生ツールは、作品情報データ１１０の指示に基づいて、動画・写真・画像などを再生することができれば、どのような再生ツールを使用してよい。
【００３１】
また、この再生ツールを、動画・写真・画像などを再生する際に、ＷＥＢサーバ１０やアプリケーションサーバ２０からダウンロードするようにしてもよい。
【００３２】
また、ユーザ端末４０からの作品を再生するリクエストは、作品である動画・写真・画像を直接再生するためのリクエストではなく、その作品の情報となる作品情報データ１１０を指定することによりリクエストを行う。
【００３３】
これにより、広告誘導の情報が含まれた作品情報データ１１０と共に作品である動画・写真・画像を再生することができ、その作品情報データ１１０で指定されている広告誘導の素材などを、作品である動画・写真・画像上に表示しながら再生を行うことが可能である。
【００３４】
また、広告誘導の情報により、そのリンク先へ移動した後は、外部アフィリエイトサーバ６０などを使用した従来のアフィリエイトシステムと同様の処理でアフィリエイトの処理が行われる。
【００３５】
以上のように、本実施の形態では、ユーザが、動画・写真・画像などを編集する際に、広告誘導のリンク元に関する素材、例えば企業ロゴや商品写真、透明リンク素材などの素材を編集素材として入れ、作品を見るユーザがその作品の再生中に、編集素材のリンクをクリックし、リンク先の広告主や商品販売サイト等へ誘導することが可能となる。
【００３６】
また、ユーザが広告誘導に使用する媒体は部分的にリンク付きの動画・写真・画像などとなるため、ユーザが自由に編集した動画・写真・画像などにより広告誘導を行うことが可能となる。
【００３７】
また、広告誘導に使用する動画・写真・画像などは、ユーザ自身が保有する必要がなく、作品情報データ１１０にその動画・写真・画像に関する情報が記載されればよいため、ユーザは様々な素材を広告誘導に利用することが可能となる。
【００３８】
また、動画・写真・画像などに広告を出すかどうかの決裁権はユーザ側にあり、広告を何個採用するかの裁量権もユーザ側にあるため、ユーザは自由に広告コンテンツの編集を行うことが可能となる。
【００３９】
これにより、広告誘導に関して、クライアントに対する新たな広告誘導システムを提供することが可能となり、完全にユーザ主導のシステムとなるので、消費者とメーカーのコミュニケーションの強化を図ることが可能となる。
【００４０】
次に、図４〜図１５により、本発明の一実施の形態に係る広告誘導システムの編集時の具体的な作品情報データ例および編集時の具体的な表示例について説明する。図４〜図９は本発明の一実施の形態に係る広告誘導システムの編集時の具体的な表示例を示す図、図１０〜図１５は本発明の一実施の形態に係る広告誘導システムの編集時の具体的な作品情報データ例を示す図である。
【００４１】
まず、ユーザ端末４０では、編集開始時に、図４に示すような画面を表示する。図４に示す例では、動画などが取得された状態になっている。
【００４２】
また、この状態の作品情報データ１１０は、図１０に示すように、例えば、作品の情報、作品全体の修飾を行うスライドの情報、動画の情報から構成されている。
【００４３】
作品の情報は、作品ＩＤ、作成者ＩＤ、識別コード、タイトル、時間長、説明文、キーワード、サムネイル、背景ミュージック、カテゴリ、作成日、閲覧回数、お気に入り回数、評価値、評価回数、公開状態の項目から構成されている。
【００４４】
スライドの情報は、スライドＩＤ、作品ＩＤ、時間長、背景ミュージック、背景写真、フレーム、トランジシション、マスク、マスク開始時間、マスク終了時間の項目から構成されている。
【００４５】
動画の情報は、動画ＩＤ、スライドＩＤ、ラベル、Ｘ座標、Ｙ座標、幅、縦、開始時間、終了時間、透明度、回転角度、アフィリエイト先のリンク、ソースのリンク、時間長の項目から構成されている。
【００４６】
作品の情報、スライドの情報、動画の情報はそれぞれ、作品ＩＤ、スライドＩＤの情報でリンクできるようになっており、作品が指定されると、作品の情報からスライドの情報および動画の情報を取得できるようになっている。
【００４７】
図１０に示す例では、編集開始時にデフォルト動画（５秒）が選択された状態となっている。
【００４８】
そして、ユーザがユーザ端末上に表示されている画面上で操作し、図５に示すように、編集の元となる動画を編集場所へ挿入する。図５に示す例では、「ワンちゃん−１」が挿入されている。
【００４９】
この状態の作品情報データ１１０は、図１１に示すように、動画の情報に、「ワンちゃん−１」に関する情報が格納される。また、作品の情報、スライドの情報にも、動画の時間長の情報が格納される。
【００５０】
そして、図６に示すようなリンク元となるスタンプを挿入するための画面を表示し、リンク元となるスタンプ（スタンプ１）を編集場所へ挿入し、大きさを自由に調整する。
【００５１】
この状態の作品情報データは、図１２に示すように、新たにスタンプの情報（スタンプ１）が追加される。
【００５２】
スタンプの情報は、スタンプＩＤ、スライドＩＤ、ラベル、Ｘ座標、Ｙ座標、幅、縦、開始時間、終了時間、透明度、回転角度、アフィリエイト先のリンク、ソースのリンク、追尾開始時間、追尾終了時間、追尾レコードの項目から構成されている。
【００５３】
スタンプの情報もスライドＩＤの情報によりスライドの情報とリンクできるようになっている。
【００５４】
そして、図７に示すように、次のリンク元となるスタンプ（スタンプ２）を編集場所へ挿入し、大きさを自由に調整する。
【００５５】
この状態の作品情報データ１１０は、図１３に示すように、新たにスタンプの情報（スタンプ２）が追加される。
【００５６】
そして、図８に示すような画面を表示し、リンク元となるスタンプをどの再生時間にどの時間の長さ表示させるかをタイムラインを使用し、指定する。
【００５７】
図８に示す例では、図１３に示すようなスタンプ２の開始時間「０．０」、終了時間「５．０」を編集し、図１４に示すようなスタンプ２の開始時間「７．８」、終了時間「１２．８」に決定した例を示している。
【００５８】
そして、編集が終了すると図９に示すような画面を表示し、公開の有無や範囲、タイトル、その他の情報を登録し、編集作品を保存する。
【００５９】
この状態の作品情報データ１１０は、図１５に示すように、作品の各情報が格納され、作品ＩＤ、作成者ＩＤ、識別コード、スライドＩＤ、スタンプＩＤ、動画ＩＤなどが指定され、各情報がリンクできる状態となっている。
【００６０】
この作品情報データ１１０は、ユーザ端末４０から、広告誘導システムのデータベースサーバ３０に送られ、データベースサーバ３０上の作品情報データベース１２０に格納される。
【００６１】
次に、図１６〜図２３により、本発明の一実施の形態に係る広告誘導システムの再生時の具体的な作品情報データ例および編集時の具体的な表示例について説明する。図１６〜図１９は本発明の一実施の形態に係る広告誘導システムの再生時の具体的な表示例を示す図、図２０は本発明の一実施の形態に係る広告誘導システムの再生時の作品の指定を説明するための説明図、図２１は本発明の一実施の形態に係る広告誘導システムの再生時の作品のロードを説明するための説明図、図２２は本発明の一実施の形態に係る広告誘導システムの再生時の作品の再生時のデータを説明するための説明図、図２３は本発明の一実施の形態に係る広告誘導システムのリンク先移動時のデータを説明するための説明図である。
【００６２】
まず、ユーザがユーザ端末４０から、インターネットなどを介して、図１６に示すような再生する作品がサムネイルとして一覧表示されている画面を表示する。これは、広告誘導システム内のサーバから取得するようにしてもいいし、他のサーバから取得してもよい。
【００６３】
また、このサムネイルの一覧表示を取得したサーバ内に、各サムネイルの作品のデータが格納されていなくてもよく、図１６に示した一覧表示の画面は、図２０に示すように、それぞれ、リンクとして、広告誘導システムのデータベースサーバ３０上の作品情報データベース１２０に格納されている作品情報データ１１０を指定する識別番号で指定するようにすればよい。
【００６４】
また、作品のサムネイルは、予め、作品情報データ１１０に基づいて取得してもいいし、サムネイルの一覧を作成する際、作品情報データ１１０のサムネイルの情報からサムネイルのリンク情報を取得して作成してもよい。
【００６５】
このように、本実施の形態では、作品を再生する際の、一覧表示においては、作品である動画・写真・画像などの直接のリンクではなく、その動画・写真・画像などを編集した際の作品情報データ１１０のリンクにより再生する作品を指定している。
【００６６】
これにより、作品を再生する際には、かならず作品情報データ１１０を参照することになり、作品の元となる動画・写真・画像を加工することなく、作品情報データ１１０による広告誘導の処理を行うことが可能となる。
【００６７】
そして、図１６に示すような一覧表示上で、ユーザが再生する作品をサムネイルの中から選択する。図１６に示す例では、「あいうえお」という作品が選択される。この「あいうえお」の作品は、図２０に示すように、「ｚＮｖｚｂＺｗＭＮｘｌ」という識別子コードを持つ作品としてリンクされており、この識別コードに基づいて作品情報データ１１０が指定される。
【００６８】
そして、作品が選択されると、ユーザ端末４０上の再生ツールにより、図１７に示すように作品情報データ１１０に基づいて作品がロードされる。
【００６９】
この作品のロードの処理は、図２１に示すように、まず、ユーザ端末４０上の再生ツールから選択された作品の識別コード「ｚＮｖｚｂＺｗＭＮｘｌ」で、作品の作品情報データ１１０を取得するリクエストをＷＥＢサーバ１０に送信する。
【００７０】
そして、ＷＥＢサーバ１０は、受信した作品の識別コード「ｚＮｖｚｂＺｗＭＮｘｌ」でデータベースサーバ３０宛に作品情報データ１１０を取得するリクエストを送出する。
【００７１】
データベースサーバ３０では、作品の識別コード「ｚＮｖｚｂＺｗＭＮｘｌ」で作品情報データ１１０を検索し、識別コード「ｚＮｖｚｂＺｗＭＮｘｌ」を持つ作品の作品情報データ１１０を取得し、取得した作品情報データ１１０に関係する素材データなどと共に作品データとしてユーザ端末４０上の再生ツールに返すことにより、ロード処理が行われる。
【００７２】
そして、ユーザ端末４０上の再生ツールでは、作品情報データ１１０に基づいて作品が再生される。
【００７３】
再生時には、図２２に示すように、ロードされた作品情報データ１１０に対して、作品のキューポイントリストが生成され、その作品のキューポイントリストにより、動画の再生開始や、動画の再生中のスタンプの挿入などが行われる。図２２に示す例では、作品が１０秒まで再生された状態を示している。
【００７４】
この状態は、図１８に示すように、スタンプ１が削除され、スタンプ２が挿入された状態であり、この状態で、スタンプ２がクリックされる。
【００７５】
すると、図２３に示すように、再生表示中の作品情報データ１１０からスタンプ２で指定されているアフィリエイト先のリンクの情報を取得し、図１９に示すような取得したアフィリエイト先のリンクを表示する。
【００７６】
以上の処理により、作品を再生中に、その作品を編集した際の作品情報データ１１０に基づいて、アフィリエイト先のリンクを情報として持つスタンプを表示して、そのスタンプがクリックされると、スタンプで指定されているアフィリエイト先のリンクを表示することが可能である。
【００７７】
これにより、ユーザは、作品を自由に編集することができ、その作品のデータとは別の作品情報データ１１０により、広告誘導を行うため、ユーザは、スタンプの素材や、表示時間などより詳細な広告誘導を行うことが可能となる。
【００７８】
また、アフィリエイト先のリンクを表示する際の処理は、アフィリエイト先のリンクを情報によりリンク先を表示しているので、従来のアフィリエイトシステムとの相性がよく、汎用性が高く、アフィリエイトシステムの構築も容易に行うことが可能である。
【００７９】
上記では、広告誘導の素材として、スタンプを例に説明したが、透明素材を使用することで、作品である動画・写真・画像に表示されているアイテムで広告誘導を行うことも可能である。
【００８０】
以下、図２４〜図３０により、本発明の一実施の形態に係る広告誘導システムの透明素材を利用した作品の編集および作品の再生について説明する。図２４〜図２８は本発明の一実施の形態に係る広告誘導システムの透明素材を使用した編集時の具体的な表示例を示す図、図２９および図３０は本発明の一実施の形態に係る広告誘導システムの透明素材を使用した再生時の具体的な表示例を示す図である。
【００８１】
この透明素材を使用する場合でも、作品情報データ１１０は、スタンプの情報の代わりに、透明素材の情報が使用される以外は、スタンプを使用した場合と同様な作品情報データ１１０と、その作品情報データ１１０を使用したデータ処理が行われる。
【００８２】
まず、ユーザ端末４０では、編集開始時に、図２４に示すような画面を表示する。図２４に示す例では、動画などが取得された状態になっている。
【００８３】
そして、ユーザがユーザ端末４０上に表示されている画面上で操作し、図２５に示すように、編集の元となる動画を編集場所へ挿入する。図２５に示す例では、「名称未設定−１」が挿入されている。
【００８４】
そして、図２６に示すようなリンク元となる透明素材を挿入するための画面を表示し、リンク元となる透明素材を編集場所へ挿入し、大きさを自由に調整する。
【００８５】
この際、透明素材としては、図２６に示すように、矩形の範囲にしてもいいし、ネクタイの形状に沿って透明素材を生成してもよい。または、その両方を使用するようにしてもよい。
【００８６】
また、この透明素材は、その対象が連続的に動いた場合には、その動きに追従させることもでき、その場合、その追従させる時間を作品情報データ１１０に設定すればよい。
【００８７】
そして、図２７に示すような透明素材がクリックされた際の移動先のＵＲＬを指定する。この情報は、作品情報データ１１０内の透明素材の情報のアフィリエイト先のリンクとして登録される。
【００８８】
そして、前述した図８に示すような画面と同様な表示により、リンク元となる透明素材をどの再生時間にどの時間の長さ表示させるかをタイムラインを使用し、指定する。
【００８９】
そして、編集が終了すると図２８に示すような画面を表示し、公開の有無や範囲、タイトル、その他の情報を登録し、編集作品を保存する。
【００９０】
まず、ユーザ端末では、作品の再生時に、ユーザがユーザ端末４０から、インターネットなどを介して、図２９に示すような再生する作品がサムネイルとして一覧表示されている画面を表示する。これは、広告誘導システム内のサーバから取得するようにしてもいいし、他のサーバから取得してもよい。
【００９１】
そして、図２９に示すような一覧表示上で、ユーザが再生する作品をサムネイルの中から選択する。図２９に示す例では、「あいおえお」という作品が選択される。
【００９２】
そして、作品が選択されると、ユーザ端末４０上の再生ツールにより、前述した図１７に示すような画面と同様な表示により、作品情報データ１１０に基づいて作品がロードされる。
【００９３】
そして、図３０に示すように、ネクタイに透明素材が設定された状態で、ネクタイがクリックされる。
【００９４】
すると、再生表示中の作品情報データ１１０から透明素材で指定されているアフィリエイト先のリンクの情報を取得し、アフィリエイト先のリンクを表示する。
【００９５】
以上の処理により、作品を再生中に、その作品を編集した際の作品情報データ１１０に基づいて、アフィリエイト先のリンクを情報として持つ透明素材により、その透明素材の領域がクリックされると、透明素材で指定されているアフィリエイト先のリンクを表示することが可能である。
【００９６】
これにより、ユーザは、作品自体の表示上の内容を変更することなく、その作品上のアイテムに対して、直接アフィリエイト先のリンクを設定することが可能である。
【００９７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００９８】
本発明は、広告誘導システムおよび広告誘導方法に関し、動画・写真・画像を用いて広告誘導を行うシステムに広く適用可能である。
【図面の簡単な説明】
【００９９】
【図１】本発明の一実施の形態に係る広告誘導システムの構成を示す構成図である。
【図２】本発明の一実施の形態に係る広告誘導システムの編集時のデータの流れを示す構成図である。
【図３】本発明の一実施の形態に係る広告誘導システムの再生時のデータの流れを示す構成図である。
【図４】本発明の一実施の形態に係る広告誘導システムの編集時の具体的な表示例を示す図である。
【図５】本発明の一実施の形態に係る広告誘導システムの編集時の具体的な表示例を示す図である。
【図６】本発明の一実施の形態に係る広告誘導システムの編集時の具体的な表示例を示す図である。
【図７】本発明の一実施の形態に係る広告誘導システムの編集時の具体的な表示例を示す図である。
【図８】本発明の一実施の形態に係る広告誘導システムの編集時の具体的な表示例を示す図である。
【図９】本発明の一実施の形態に係る広告誘導システムの編集時の具体的な表示例を示す図である。
【図１０】本発明の一実施の形態に係る広告誘導システムの編集時の具体的な作品情報データ例を示す図である。
【図１１】本発明の一実施の形態に係る広告誘導システムの編集時の具体的な作品情報データ例を示す図である。
【図１２】本発明の一実施の形態に係る広告誘導システムの編集時の具体的な作品情報データ例を示す図である。
【図１３】本発明の一実施の形態に係る広告誘導システムの編集時の具体的な作品情報データ例を示す図である。
【図１４】本発明の一実施の形態に係る広告誘導システムの編集時の具体的な作品情報データ例を示す図である。
【図１５】本発明の一実施の形態に係る広告誘導システムの編集時の具体的な作品情報データ例を示す図である。
【図１６】本発明の一実施の形態に係る広告誘導システムの再生時の具体的な表示例を示す図である。
【図１７】本発明の一実施の形態に係る広告誘導システムの再生時の具体的な表示例を示す図である。
【図１８】本発明の一実施の形態に係る広告誘導システムの再生時の具体的な表示例を示す図である。
【図１９】本発明の一実施の形態に係る広告誘導システムの再生時の具体的な表示例を示す図である。
【図２０】本発明の一実施の形態に係る広告誘導システムの再生時の作品の指定を説明するための説明図である。
【図２１】本発明の一実施の形態に係る広告誘導システムの再生時の作品のロードを説明するための説明図である。
【図２２】本発明の一実施の形態に係る広告誘導システムの再生時の作品の再生時のデータを説明するための説明図である。
【図２３】本発明の一実施の形態に係る広告誘導システムのリンク先移動時のデータを説明するための説明図である。
【図２４】本発明の一実施の形態に係る広告誘導システムの透明素材を使用した編集時の具体的な表示例を示す図である。
【図２５】本発明の一実施の形態に係る広告誘導システムの透明素材を使用した編集時の具体的な表示例を示す図である。
【図２６】本発明の一実施の形態に係る広告誘導システムの透明素材を使用した編集時の具体的な表示例を示す図である。
【図２７】本発明の一実施の形態に係る広告誘導システムの透明素材を使用した編集時の具体的な表示例を示す図である。
【図２８】本発明の一実施の形態に係る広告誘導システムの透明素材を使用した編集時の具体的な表示例を示す図である。
【図２９】本発明の一実施の形態に係る広告誘導システムの透明素材を使用した再生時の具体的な表示例を示す図である。
【図３０】本発明の一実施の形態に係る広告誘導システムの透明素材を使用した再生時の具体的な表示例を示す図である。
【符号の説明】
【０１００】
１０…ＷＥＢサーバ、２０…アプリケーションサーバ、３０…データベースサーバ、４０…ユーザ端末、５０…外部素材サーバ、６０…外部アフィリエイトサーバ、１００…素材データベース、１１０…作品情報データ、１２０…作品情報データベース。
【図１】
2009245082.tif 000003
【図２】
2009245082.tif 000004
【図３】
2009245082.tif 000005
【図１０】
2009245082.tif 000006
【図１１】
2009245082.tif 000007
【図１２】
2009245082.tif 000008
【図１３】
2009245082.tif 000009
【図１４】
2009245082.tif 000010
【図１５】
2009245082.tif 000011
【図２１】
2009245082.tif 000012
【図２２】
2009245082.tif 000013
【図２３】
2009245082.tif 000014
【図４】
2009245082.tif 000015
【図５】
2009245082.tif 000016
【図６】
2009245082.tif 000017
【図７】
2009245082.tif 000018
【図８】
2009245082.tif 000019
【図９】
2009245082.tif 000020
【図１６】
2009245082.tif 000021
【図１７】
2009245082.tif 000022
【図１８】
2009245082.tif 000023
【図１９】
2009245082.tif 000024
【図２０】
2009245082.tif 000025
【図２４】
2009245082.tif 000026
【図２５】
2009245082.tif 000027
【図２６】
2009245082.tif 000028
【図２７】
2009245082.tif 000029
【図２８】
2009245082.tif 000030
【図２９】
2009245082.tif 000031
【図３０】
2009245082.tif 000032